(57)【要約】【課題】費用や手間を格段に削減しながら設置することができ撤去作業のほぼ全てを省略することができる仮防水構造を備えた建物を提供する。【解決手段】建物外周部に配置された外周屋根梁ＴRと、外周屋根梁ＴRに架設された屋根スラブＲと、屋根スラブＲよりも上方に突出するように外周屋根梁ＴRの外側に配置された胸壁ＰPと、を備えるとともに、屋根スラブＲの架設後に設置される仮防水構造１を備える建物Ｈである。仮防水構造１を、外周屋根梁ＴRの上に載置された仮樋１０と、仮樋１０の側面に接続され胸壁ＰPを貫通して胸壁ＰP外方に突出する仮排水用ドレイン２０と、屋根スラブＲの上面全体を覆い端縁部３１が仮樋１０の内側に垂下するように貼設された第１の仮防水シート３０と、胸壁ＰPの上端を覆い端縁部４１が仮樋１０の内側に垂下するように貼設された第２の仮防水シート４０と、から構成する。【選択図】図４
2012136859.tif 000002
【特許請求の範囲】
【請求項１】
建物外周部に配置された外周屋根梁と、前記外周屋根梁に架設された屋根スラブと、前記屋根スラブの上面よりも上方に突出するように前記外周屋根梁の外側に配置された胸壁と、を備えるとともに、前記屋根スラブの架設後に設置される仮防水構造を備える建物であって、
前記仮防水構造は、前記屋根スラブの上面よりも下方に位置するように前記外周屋根梁の上に載置された断面コ字状の仮樋と、前記仮樋の側面に連通接続され前記胸壁を貫通して前記胸壁外方に突出するように設けられた仮排水用ドレインと、前記屋根スラブの上面全体を覆うとともに端縁部が前記仮樋の内側に垂下するように貼設された第１の仮防水シートと、前記胸壁の上端を覆うとともに端縁部が前記仮樋の内側に垂下するように貼設された第２の仮防水シートと、から構成される、
建物。
【請求項２】
前記仮樋の外形幅寸法は、前記胸壁の内側面から前記屋根スラブの端縁までの離間寸法に対応するように設定される、
請求項１に記載の建物。
【請求項３】
前記屋根スラブ上に貼設される断熱材と、
前記断熱材を保護する保護板と、
前記保護板上に貼設される本防水シートと、をさらに備え、
前記断熱材、前記保護板及び前記本防水シートは、前記仮防水構造が残存した状態で貼設される、
請求項１又は２に記載の建物。
【発明の詳細な説明】
【技術分野】
【０００１】
本発明は、仮防水構造を備える建物に関する。
【背景技術】
【０００２】
従来より、建物の躯体が立ち上がってから屋根の防水工事が完了するまでの期間において、降雨によって建物内部の水濡れを防止するため又は工期が延長するのを防止するために、種々の対策が講じられてきた。
【０００３】
例えば、大規模な建物においては、足場を利用して建物全体を覆う仮設の屋根を設ける方法が数多く提案されている。また、住宅のような小規模の建物においては、単に屋根面にシートをかけるという方法が提案されている。但し、このような簡易な方法では、勾配屋根の場合には雨仕舞い上の問題が少ないものの、パラペットを有する陸屋根の場合には水溜りが形成されてしまい、水の排出方法を別途検討する必要があった。
【０００４】
そこで、近年においては、バルーンを用いてシートの中央部をパラペットよりも高くして勾配を設けることにより雨水を自然に排出できるように構成した陸屋根用の防水構造が提案されている（例えば、特許文献１参照）。
【先行技術文献】
【特許文献】
【０００５】
【特許文献１】特開２００９-１２１０２４号公報
【発明の概要】
【発明が解決しようとする課題】
【０００６】
しかし、特許文献１に記載されたような防水構造を採用すると、バルーンを膨らませるための装置が必要となるとともに、その装置の設置作業や撤去作業が必要となり、相当の費用や手間を要するという問題がある。また、このような防水構造を採用すると、シート中央部が高くなるために雨水は四方八方に流れ落ちることとなり、建物外周部の作業に支障をきたす可能性もある。さらに、このような防水構造を採用した場合には、本防水工事の際に全てを撤去する必要があり、この撤去作業中に降雨があると建物内部を濡らしてしまう恐れもある。
【０００７】
本発明は、かかる事情に鑑みてなされたものであり、費用や手間を格段に削減しながら設置することができ、しかも撤去作業のほぼ全てを省略することができる仮防水構造を備えた建物を提供することを目的とするものである。
【課題を解決するための手段】
【０００８】
前記目的を達成するため、本発明に係る建物は、建物外周部に配置された外周屋根梁と、外周屋根梁に架設された屋根スラブと、屋根スラブの上面よりも上方に突出するように外周屋根梁の外側に配置された胸壁と、を備えるとともに、屋根スラブの架設後に設置される仮防水構造を備えるものである。仮防水構造は、屋根スラブの上面よりも下方に位置するように外周屋根梁の上に載置された断面コ字状の仮樋と、仮樋の側面に連通接続され胸壁を貫通して胸壁外方に突出するように設けられた仮排水用ドレインと、屋根スラブの上面全体を覆うとともに端縁部が仮樋の内側に垂下するように貼設された第１の仮防水シートと、胸壁の上端を覆うとともに端縁部が仮樋の内側に垂下するように貼設された第２の仮防水シートと、から構成されるものである。
【０００９】
かかる構成を採用すると、仮樋を外周屋根梁の上に載置し、仮樋の側面から胸壁を貫通して胸壁外部に連通する仮排水用ドレインを設け、２種類の仮防水シートを貼設するだけで仮防水構造を設置することができる。従って、仮防水構造の設置に要する費用や手間を格段に削減することが可能となる。
【００１０】
本発明に係る建物において、仮樋の外形幅寸法を、胸壁の内側面から屋根スラブの端縁までの離間寸法に対応するように設定することが好ましい。
【００１１】
かかる構成を採用すると、仮樋が胸壁と屋根スラブの間に挟まれて拘束されるため、仮桶の幅方向における位置ずれを抑制することができる。
【００１２】
また、本発明に係る建物において、屋根スラブ上に貼設される断熱材と、断熱材を保護する保護板と、保護板上に貼設される本防水シートと、をさらに備えることができる。かかる場合において、仮防水構造が残存した状態で断熱材、保護板及び本防水シートを貼設することができる。
【００１３】
かかる構成を採用すると、仮防水構造を撤去することなく本防水シートによる防水工事を完成させることができるので、撤去作業の手間を省くことができる。また、本防水シートの施工中に降雨があったとしても、建物内部を濡らしてしまうことがない。
【発明の効果】
【００１４】
本発明によれば、費用や手間を格段に削減しながら設置することができ、しかも撤去作業のほぼ全てを省略することができる仮防水構造を備えた建物を提供することが可能となる。
【図面の簡単な説明】
【００１５】
【図１】本発明の実施形態に係る建物の構造を説明するための説明図である。
【図２】本発明の実施形態に係る建物に適用される仮防水構造（仮防水シートを貼設していない状態）を説明するための上面図である。
【図３】本発明の実施形態に係る建物に適用される仮防水構造（仮防水シートを貼設した状態）を説明するための上面図である
【図４】図３に示す仮防水構造のIV-IV部分の断面図である。
【図５】本発明の実施形態に係る仮防水構造の仮樋及び仮排水用ドレインの斜視図である。
【発明を実施するための形態】
【００１６】
以下、図面を参照して、本発明の実施形態に係る建物Ｈについて説明する。なお、本実施形態はあくまでも好適な適用例であって、本発明の適用範囲がこれに限定されるものではない。
【００１７】
最初に、図１及び図４を用いて、本実施形態に係る建物Ｈの構成の概要について説明する。
【００１８】
建物Ｈは、所定寸法の平面モジュールを有する梁勝ち工法による鉄骨造の工業化住宅である。建物Ｈの基本架構は、図１に示すように、基礎梁Ｂ上に立設固定された柱Ｓ、柱Ｓの上端を連結するように配置された梁Ｔ、隣接する２本の柱間に設置された耐力要素Ｍ等で構成されている。
【００１９】
図４に示すように、建物Ｈの外周部に配置された外周屋根梁ＴRはＨ形鋼からなり、角形鋼管からなる柱Ｓの上に載置されてボルト接合されている。外周屋根梁ＴRの上フランジＦの内側片ＦIには、デッキプレート（波状に折り曲げ加工した鋼板）からなる屋根スラブＲが架設されている。屋根スラブＲの端縁部は、外周屋根梁ＴRの上フランジＦの内側片ＦIに載置されてドリルネジにて接合されている。
【００２０】
なお、図示していないが、屋根スラブＲの上には、板状の合成樹脂発泡体からなる断熱材が敷設される。断熱材は保護板で保護され、この保護板には、軟質の塩化ビニール等から構成される本防水シートが接着される。これら屋根スラブＲ、断熱材、保護板及び本防水シートにより建物Ｈの屋根が構成される。
【００２１】
外周屋根梁ＴRの外側には、図４に示すように、ＡＬＣ（Autoclaved Light-weight Concrete；軽量気泡コンクリート）製パネルＰが外周屋根梁ＴRに沿って立設されて外壁を構成している。外壁となるＡＬＣ製パネルＰの上端部分は、屋根を構成する屋根スラブＲの上面よりも上方に突出してパラペット（胸壁）ＰPを形成している。本実施形態においては、後述する第２の仮防水シート４０をマグネットで貼設するための（図示していない）防水鋼板を、パラペットＰPの内側面から上端面に沿って取り付けている。
【００２２】
次に、図２〜図５を用いて、本実施形態に係る建物Ｈに適用される仮防水構造１について説明する。
【００２３】
本実施形態に係る仮防水構造１は、仮樋１０、仮排水用ドレイン２０、第１の仮防水シート３０及び第２の仮防水シート４０から構成されている。
【００２４】
仮樋１０は、図４及び図５に示すように、鋼板を断面コ字状に折り曲げて構成したものであり、外周屋根梁ＴRの上フランジＦの外側片ＦOの上（屋根スラブＲとパラペットＰPで囲まれた凹部）に載置されている。仮樋１０の外形幅寸法Ｗ10は、屋根スラブＲの端縁からパラペットＰPの内側面までの寸法に対応する（屋根スラブＲの端縁から防水鋼板までの寸法と略同一になる）ように設定されている。仮樋１０の高さ寸法Ｌ10は、仮樋１０の上端が屋根スラブＲの上面よりも下方に位置するように設定されている。  仮樋１０は、図２及び図３に示すように、直線状仮樋部材１１と、Ｌ字状のコーナ用仮樋部材１２と、を組み合せることにより建物外周部に連続的に設けられている。連結部の水密性は、粘着テープにて確保されている。
【００２５】
仮排水用ドレイン２０は、図４及び図５に示すように、仮樋１０を構成する直線状仮樋部材１１の側面の下端寄りの位置から外方に突設されている。仮排水用ドレイン２０は、直線状仮樋部材１１の側面に溶接された円筒状のパイプ接続部２１と、このパイプ接続部２１に嵌合された硬質塩化ビニール製の直線状パイプ２２と、直線状パイプ２２の先端に下方に屈曲するように嵌合されたＬ字状パイプ２３と、から構成されている。仮排水用ドレイン２０の直線状パイプ２２は、パラペットＰPに穿設された貫通孔に挿通される。これにより、直線状パイプ２２の一部とＬ字状パイプ２３とがパラペットＰP外方に突出するように構成されている。
【００２６】
第１の仮防水シート３０は、ポリエチレン等の合成樹脂素材からなり、図３及び図４に示すように、屋根スラブＲ全面を覆うとともに端縁部３１が仮樋１０の内側に垂下するように貼設されている。第１の仮防水シート３０の端縁部３１は、粘着テープやマグネット等を用いて仮樋１０に貼設されている。第１の仮防水シート３０は、複数のシートを連結して構成することもでき、この場合の連結部の水密性は、粘着テープにて確保されている。
【００２７】
第２の仮防水シート４０は、ポリエチレン等の合成樹脂素材からなり、図３及び図４に示すように、パラペットＰP上端を覆うとともに一方の端縁部４１が仮樋１０の内側に垂下するように貼設されている。第２の仮防水シート４０の端縁部４１は、粘着テープやマグネット等を用いてパラペットＰP及び仮樋１０に貼設されている。
【００２８】
本実施形態に係る仮防水構造１は、屋根スラブＲの架設及びパラペットＰP（ＡＬＣ製パネルＰ）の施工完了後に設置されるものである。仮防水構造１は、断熱材、保護板及び本防水シートの施工直前に除去してもよいが、残存させたまま断熱材、保護板及び本防水シートを施工するのが好ましい。仮防水構造１を除去する場合には、パラペットＰPの貫通孔にＡＬＣ専用の補修モルタルを充填して補修する。仮防水構造１を残存させておく場合には、仮排水ドレイン２０の突出部分を切断し、周囲にシーリング材を充填し、キャップを嵌めておく。このように構成しておくことで、防水シート改修の際に降雨があっても室内を濡らすことがない。
【００２９】
以上説明した実施形態に係る建物Ｈにおいては、仮樋１０を外周屋根梁ＴRの上に載置し、仮樋１０の側面からパラペットＰPを貫通してパラペットＰP外部に連通する仮排水用ドレイン２０を設け、２種類の仮防水シート３０・４０を貼設するだけで仮防水構造１を設置することができる。従って、仮防水構造１の設置に要する費用や手間を格段に削減することが可能となる。
【００３０】
また、以上説明した実施形態に係る建物Ｈにおいては、仮樋１０の外形幅寸法Ｗ10を、パラペットＰPの内側面から屋根スラブＲの端縁までの離間寸法に対応するように設定しているため、仮樋１０がパラペットＰPと屋根スラブＲの間に挟まれて拘束される。従って、仮桶１０の幅方向における位置ずれを抑制することができる。
【００３１】
また、以上説明した実施形態に係る建物Ｈにおいては、仮防水構造１が残存した状態で断熱材、保護板及び本防水シートを貼設することができる。従って、仮防水構造１を撤去することなく本防水シートによる防水工事を完成させることができるので、撤去作業の手間を省くことができる。また、本防水シートの施工中に降雨があったとしても、建物内部を濡らしてしまうことがない。
【産業上の利用可能性】
【００３２】
本発明は、陸屋根を備える建物に有効に利用することが可能である。
【符号の説明】
【００３３】
１…仮防水構造
１０…仮樋
２０…仮排水用ドレイン
３０…第１の仮防水シート
４０…第２の仮防水シート
ＰP…パラペット（胸壁）
ＴR…外周屋根梁
Ｒ…屋根スラブ
【図１】
2012136859.tif 000003
【図２】
2012136859.tif 000004
【図３】
2012136859.tif 000005
【図４】
2012136859.tif 000006
【図５】
2012136859.tif 000007